(57)【要約】      （修正有）【課題】楽譜収納リーフであって、綴じ部の強度を増し、不用意に楽譜が脱落しない楽譜収納リーフを提供する。【解決手段】リーフ台紙の綴部側に沿って、上面と下面に綴部側保持片と、このリーフ台紙の綴部側と対抗する端部側の上面と下面に端部側保持片とを設け、さらに綴部側保持片と端部側保持片の底部側にそれぞれ綴部側底部シール部と端部側底部シール部を設けてなることを特徴とする楽譜収納リーフ。綴部側保持片は、楽譜収納リーフのリーフ台紙とともに綴部も構成するために楽譜収納リーフの綴部又は前記綴部側保持片を構成する位置までの少なくとも１部をシールする。【選択図】図１
2018161880.tif 000002
【特許請求の範囲】
【請求項１】
綴じ部を有する楽譜収納リーフであって、リーフ台紙の綴部側に沿って、上面と下面に綴部側保持片と、このリーフ台紙の綴部側と対抗する端部側の上面と下面に端部側保持片とを設け、さらに前記綴部側保持片と前記端部側保持片の底部側にそれぞれ綴部側底部シール部と端部側底部シール部を設けてなることを特徴とする楽譜収納リーフ。
【請求項２】
前記リーフ台紙の上面と下面の綴部側に沿って設けた前記綴部側保持片は、楽譜収納リーフのリーフ台紙とともに綴部も構成することを特徴とする前記請求項１記載の楽譜収納リーフ。
【請求項３】
前記リーフ台紙の上面と下面の綴部側に沿って設けた前記綴部側保持片は、楽譜収納リーフのリーフ台紙とともに綴部も構成するために楽譜収納リーフの綴部又は前記綴部側保持片を構成する位置までの少なくとも１部をシールする綴部側保持片シール部を設けたことを特徴とする前記請求項２記載の楽譜収納リーフ。
【発明の詳細な説明】
【技術分野】
【０００１】  本発明は、指揮者、楽器奏者、歌手などが譜面に練習中も書き込みを容易にした楽譜収納リーフに関する。
【背景技術】
【０００２】  単片になった音楽用の譜面は、演奏曲が複数の場合、曲の演奏順序などを考慮すると、演奏曲の順番を自由に入れ替えられる透明袋状のフォルダー（クリアファイル）に入れて使用するのが便利である。しかし、音楽家は曲ごとの演奏の進行を変えたり、編曲したり複数の曲を繋げたりして、楽譜自体を微妙にアレンジしたりして演奏することが多く、楽譜に書き込みすることが非常に多い。【０００３】  したがって、上述のクリアファイルのようなファイルは、透明なポケット状の袋に入れられるので捲れ防止効果はあるもの、練習中に各種の書き込みを行う場合は、その都度、楽譜を袋から出して、書き込みしなくてはならずあまり便利とはいえなかった。【０００４】  そこで、本願発明者は、練習中に各種の書き込みを行える楽譜用ファイルを提案してきた（特許文献１）。しかしながら、この特許文献１で提案されたファイルは、楽譜の綴じ枚数が限定されたファイルであって、随時、楽譜の綴じ枚数が、限定されてしまっていた。【０００５】  したがって、バインダーなどに逐一追加、取り外しできるものが、提案されてきた。例えば、特許文献２に示されるように楽譜がリーフに装着されて、バインダー等に加除自在に綴じられるようなものが提案されてきた。しかしながら、加除式のリーフは、綴じ部が、破損し易い点と、楽譜を取り付ける構造が、弱いため、楽譜がリーフから落脱しやすいものが多い。特許文献２のリーフは、楽譜を上下で保持する機構のため、リーフの綴じ部、すなわちバインダーの綴じ部を演奏者が持って移動していると、楽譜が綴じ部の反対側から落脱しやすいものであった。
【先行技術文献】
【特許文献】
【０００５】
【特許文献１】特開２０１５−１４７４０１号公報
【特許文献２】特開２０００−２１１２８０号公報
【発明の概要】
【発明が解決しようとする課題】
【０００６】  本発明は、加除式のバインダーに閉じるタイプの楽譜収納リーフであって、綴じ部の強度を増し、不用意に楽譜が脱落しない楽譜収納リーフを提供することを目的としている。
【課題を解決するための手段】
【０００７】  本発明の楽譜収納リーフは、綴じ部を有するものであって、リーフ台紙の綴部側に沿って、上面と下面に楽譜を保持する綴部側保持片と、このリーフ台紙の綴部側と対抗する端部側の上面と下面に楽譜を保持する端部側保持片とを設け、さらに前記綴部側保持片と前記端部側保持片の底部側に保持した楽譜が脱落しないように、それぞれ綴部側底部シール部と端部側底部シール部を設けてなるものである。【０００８】  また請求項２において、前記リーフ台紙の上面と下面の綴部側に沿って設けた前記綴部側保持片は、楽譜収納リーフのリーフ台紙とともに綴部も構成するようにした。すなわち本発明の楽譜収納リーフの綴部は上面の綴部側保持片のシート、リーフ台紙、下面の綴部側保持片のシートの三層で構成したため、強力に補強されたものとなり、破損しにくくした。【０００９】  さらに請求項３において、前記リーフ台紙の上面と下面の綴部側に沿って設けた前記綴部側保持片は、楽譜収納リーフのリーフ台紙とともに綴部も構成するために楽譜収納リーフの綴部又は前記綴部側保持片を構成する位置までの少なくとも１部をシールする綴部側保持片シール部を設け楽譜を保持し易くした。
【図面の簡単な説明】
【００１０】
【図１】本発明の楽譜収納リーフをバインダーに綴じた状態の表面説明図。
【図２】本発明の楽譜収納リーフの平面説明図。
【図３】本発明の図３のＸ−Ｘ線断面説明図。
【図４】本発明の楽譜収納リーフ楽譜を収納した状態を示す説明図。
【発明を実施するための形態】
【００１１】  本発明の楽譜収納リーフの実施形態を図面に基づいて説明する。図１は、本発明の楽譜収納リーフをバインダーに綴じた状態の表面説明図であるが、図２及び図２のＸ−Ｘ断面説明図を示す図３に基づいて説明すると、リーフ台紙１の綴部側に沿って、上面と下面に楽譜を保持する綴部側保持片４と、このリーフ台紙１の綴部側と対抗する端部側の上面と下面に楽譜を保持する端部側保持片３とを設け、さらに前記綴部側保持片４と前記端部側保持片３の底部側に保持した楽譜が脱落しないように、それぞれ綴部側底部シール部８と端部側底部シール部６を設けてなるものである。
【００１２】  前記綴部側保持片４は、図３に示されるように綴部側のリーフ台紙１をくるんで、直線的に綴部側保持片シール部７によって、一体的に構成している。これにより、リーフ綴部９は、補強され破損し難い構造とした。本実施例では、線状態の綴部側保持片シール部７としたが、リーフ綴部９全体をシールして圧着しても良い。
【００１３】  一方、このリーフ台紙１の綴部側と対抗する端部側の上面と下面に楽譜を保持する端部側保持片３を設け、リーフ台紙１をくるんで、直線的に端部側保持片シール部５によって、一体的に構成している。本実施例では、綴部側保持片４と端部側保持片３はリーフ台紙１をくるんで構成しているが、必ずしもくるむ必要はなく、リーフ台紙１の上面側と下面側に重ねて、シール部で一体にしても良いものである。
【００１４】  このようにして、楽譜収納リーフ１は、構成されている。リーフ綴部９の実施例では、４穴の綴じ穴が構成されて図１に示されるバインダーに綴じられて使用される。図４に示されるように単片の楽譜の両側を、綴部側保持片４と端部側保持片３に挟んで保持する。楽譜は、端部底部側シール部７、綴部底部側シール部８で下部に脱落することはない。
【００１５】  また、静電気を帯びる材質にすることで、上部から簡単に脱落しないようにもできる。さらに楽譜収納リーフを綴じるバインダーも４穴に限定されることもなく、例えば２穴のフォルダー、ルーズリーフタイプのフォルダーでもよく、あるいは、ページ数は限定されるが楽譜収納リーフをリングノートタイプ綴じ方でも問題ない。
【００１６】  本発明は、綴部が強化され、上部で書き込みが容易で、しかもきわめて使い勝手の良い楽譜収納リーフが提供できる。
【符号の説明】
【００１７】１…楽譜収納リーフ
２…リーフ台紙
３…端部側保持片
４…綴部側保持片
５…端部側保持片シール部
６…端部底部側シール部
７…綴部側保持片シール部
８…綴部底部側シール部
９…リーフ綴部
１０…リーフ綴穴
１１…リーフバインダー
１２…バインダーリング
１３…バインダー綴部
２１…楽譜
【図１】
2018161880.tif 000003
【図２】
2018161880.tif 000004
【図３】
2018161880.tif 000005
【図４】
2018161880.tif 000006